(57)【要約】      （修正有）【課題】ゴルフコースに於いては多様な自然条件てあり、傾斜地での打撃について、自由に傾斜変化の可能な練習用の打撃練習装置を提供する。【解決手段】ゴルフクラブによって傾斜している打席上でプレーヤーが立ち位置から打席上の指示スウィッチの操作によって自由な姿勢を選択出来ると共に、ゴルフボール要求スウィッチを押す事によって、安定して常に一定の打撃位置にゴルフボールが供給される構造となって居る。自由傾斜打席の駆動は打席中心軸がゴルフボール供給位置として保つ事が特徴であり、ゴルフボール供給の為のパイプ構造の軸最上部に球面軸受によって打席台座の中心軸受として稼動すると共に、自由傾斜させる為のジャッキ又はエアリフト等によって打席上のプレーヤーの意図にしたがった傾斜打席の動きを制御する事が出来る構造であると共に中心軸の下部よりプレーヤーの指示によって次の打撃練習用のゴルフボールが供給される構造となって居る。【選択図】図２
2008149085.tif 000002
【特許請求の範囲】
【請求項１】
ゴルフ練習用自由傾斜打席に於いて打撃練習用ゴルフボールが常に一定位置に設置供給される事を特徴とするゴルフ練習用自由傾斜打席。
【請求項２】
請求項第１項記載の打撃練習用ゴルフボールがスウィッチ指令によって自動的に供給される事を特徴とするゴルフ練習用自由傾斜打席。
【請求項３】
請求項第２項記載の打撃練習用ゴルフボールを支持するティを上下に昇降する伸縮部材に硬質鋼板発条による薄板をロール間駆動動力により稼動させる事を特徴とするゴルフ練習用自由傾斜打席。
【発明の詳細な説明】
【技術分野】
【０００１】  本発明は、ゴルフの打撃練習に於いて一般に行なわれているフラットな平面に於ける打撃練習に加えて、実際のゴルフ場グランドに於ける臨場感を得る為の目的をもって傾斜地からの打撃練習を行なうもので、主に変形姿勢での打撃の感覚を得る為の打撃練習を可能にするものであり、今日迄特にグリーンへのアプローチで傾斜地等に於ける打撃練習は不可能であったが、本願考案によって巾の広い打撃練習の場を提供するものである。
【背景技術】
【０００２】  本願による打撃練習用の自由傾斜打席は、不動の中心軸を支点とすると同時にゴルフボールを供給する機能を付加し、中心軸に交差して直角に交わるそれぞれの縦方向及び横方向の軸線上の中心軸から等間隔の位置の床下面には昇降機能を備えたジャッキ又は圧力シリンダー等によって自由傾斜打席が支持されると同時に、前記ジャッキ又は圧力シリンダーを昇降稼動の為の指令用スウィッチを打撃練習用打席の表面の一部に設置する事によって、プレーヤーは自分の意図する状態に自由傾斜打席を操作する事が出来ると共に、中心軸にゴルフボールが同じくスウィッチングによって自動供給される事によって、様々な傾斜面に於ける打撃練習が可能となる。
【発明が解決しようとする課題】
【０００３】  ゴルフ場に於ける実際のプレーに於いて最も重要視される事は正確なショットであり、正確なショットの条件は好ましく安定した打撃姿勢であると云われるが、練習をする場合のゴルフ練習場は平面の整備されたグランド状態である事が一般である。しかし、実際のプレーで直面するグランドは千変万化する自然のグランドであって、特に傾斜地は厳しい状態に於いても対応しなければならないが、傾斜地で安定した打撃姿勢をとろうとしても戸惑うのが一般であり、ミスショットを連打するのが一般である。本願考案はこうした実際に遭遇する場面を人工的に再現して、様々なフォームでの打撃練習を可能とするものである。
【課題を解決する為の手段】
【０００４】  傾斜地でのゴルフ打撃練習を目的として考案された過去の考案は、昭和５９年１２月の公開公報で５８−０８２２２４等の考案が見られるが、プレーヤーが傾斜打席上の姿勢で次の打球を供給セットしなければならない等の不具合があり、現実の市場普及には問題があった。本願考案では、自由傾斜打席の中心軸をパイプ状の不動軸上部に自由傾斜打席の中心軸受となる球面軸受を装着し、前記パイプ下部より供給されるゴルフボールの位置が自由傾斜打席の中心点としての不動位置に保たれる事によって、プレーヤーはゴルフボールの供給タイミングや打席の自由な傾斜選択を、打席に立った状態で手に持っているアイアンクラブで自由傾斜打席上に設置したそれぞれの指令用スウィッチによる指令を行なう事が出来る事によって、常に臨場感のある打撃練習を体験することが出来る事で実際のゴルフ場現場での傾斜地に対応する為の打撃練習が可能となる。
【０００５】  本発明によるゴルフ練習用の自由傾斜打席の一つの実施例を図１から図５によって説明を行なうと自由傾斜打席１１上のプレーヤー１として基本的な構造説明を進める。図１は自由傾斜打席（以下打席とする）が平坦な状態をゴルフボールの打撃方向から見た全体の透視説明図であり、図２は３０°前方に傾斜した場合の図１の打席の同じく透視説明図である。又図３は前記打席を上方向から見た伏図の透視説明図である。プレーヤー１が前記打席に上り打撃練習を行なう事を仮定して説明を進める。打席に傾斜のない図１の場合は、一般のゴルフ練習場と同様の打撃練習が可能である。図２の傾斜打席を求める場合は、プレーヤー１は打席プレート最前方の制御ボード１０上の傾斜打席稼動用のスウィッチ２０の４分割された前方のスウィッチ２２を、手に持っているアイアンクラブで押す事によって、傾斜打席駆動用のエアシリンダー２５等（機械的ジャッキ等による駆動も可能である）によって打席後部が押し上げられ、希望する前方向の傾斜レベルに達する事によって傾斜面での打込み練習が可能となる。又図２の姿勢から打撃方向が高い場合は、打席をさらに打ち込み方向に向けて引き揚げる必要があるので、プレーヤーは、再度打席稼動用スウィッチ２０の４分割された右側の２１のスウィッチを手に持ったアイアンクラブで押す事によって打席は右側に下がる動きとなり、意図する位置に達した時にスウィッチをはなす事によってプレーヤー１の要求する打撃練習用のグランド条件が整う。次にプレーヤー１は制御プレート１０上にあるゴルフボール供給要求スウィッチ１９をクラブ先端で押す事で、ゴルフボール２はゴルフボールチャージバケット１６からゴルフボール供給用パイプスタンド１７の内部を通って、チャージ用ゴルフボール誘導パイプ１８を経由して蓄積されているゴルフボールはゴルフボール制御用ソレノイドバルブ５が開くと同時に１ケ宛のゴルフボールは中心支柱パイプの中をゴルフボール昇降用ワイヤベルト６にとりつけられたゴルフボール用昇降ティー３の上に乗った状態を保って上昇し、図２のゴルフボール２の位置にセットされて打撃練習が可能となる。
【０００６】  ゴルフボールバケット１６にチャージされたそれぞれのゴルフボールを打席上２の位置に移動する場合、ゴルフボールの動きの中でロックする事を防止する目的の為にゴルフボールバケット１６から中心支柱のゴルフボール供給パイプ９迄の輸送を高分子材料によるチューブ等による連結や電動バイブレーション３５等を輸送管等に組み込んでロック防止を計る事も可能である。
【０００７】  中心支柱及びゴルフボール供給用パイプ９によるゴルフボールの供給の仕様を図４により説明する。打撃練習用のゴルフボールは、チャージ用バケット１６から誘導管１８を経過してゴルフボール供給制御用ソレノイド５によって稼動する３７の先端に取りつけたチップ３６によって通常時はストップ制御され、プレーヤー１がゴルフボール供給要求スウィッチ１９を押す事によって、前記チップ３６はソレノイド５によって引き上げられて、傾斜面によって押されたゴルフボールは２Ａの位置に自動的に移動すると同時に、ソレノイド５は１ケ宛を供給する事でストップ制御の状態に復帰し、又同時にゴルフボール昇降用動力８が稼動してプーリー４によってワイヤーベルト６はゴルフボール２Ａを乗せたゴルフボール用昇降ティー３を取りつけ、同時に前記ワイヤーベルト６に固定された昇降ティー３支持用金具３２は中心支柱９の下方より上方に向かって開口するスリットを介して上方に移動し、ゴルフボール２Ｂの指定位置にセットされて停止することによって打撃練習が可能となる。
【０００８】  又図５によって中心支柱及びゴルフボール供給用パイプ９に昇降ティー３を上下させる為の支持金具を上下させる為のスリットを開口する事なく昇降ティー３をティーのレベルアジャスター付ベース金具４５を介して、薄い板発条状帯鋼板４４を板発条送出用動力４２によって回転する発条送出用ロール４３と板発条送出圧調整ロール４６とを介して板発条４４の動向矯正用ナイロンガイド４８のスリット内に板発条４４が押出される事によって、ティーレベルアジャスター付ベース金具４５の底部に取りつけられた板発条４４の先端部が２Ａのゴルフボールの乗ったティー３を上部に押し上げセンサーによって停止すると同時に、ゴルフボール２Ｂは打撃練習用の定位置である位置に静止してプレーヤーの打撃を待つこととなる。
【図面の簡単な説明】
【０００９】
【図１】  本発明による自由傾斜打席の平面設定時の打込方向よりの透視図
【図２】  第１図の状態から前方向に傾斜した場合の透視図
【図３】  第１図の傾斜打席の上方から見た伏透視図
【図４】  ゴルフボールのワイヤー動力駆動の場合の横断面透視説明図
【図５】  ゴルフボールの平発条動力駆動の場合の横断面透視説明図  １  自由傾斜打席利用プレーヤー  ２  ゴルフボール  ３  ゴルフボール昇降ティー  ４  ゴルフボール供給用プーリー  ５  ゴルフボール供給制御用ソレノイドバルブ  ６  ゴルフボール昇降用ワイヤーベルト  ７  ゴルフボール昇降制御センサー  ８  ゴルフボール昇降用動力  ９  中心支柱及ゴルフボール供給用パイプ  １０  プレーヤー用制御プレート  １１  自由傾斜打席プレートベース  １２  プレーヤー使用中のアイアンクラブ  １３  人工芝  １４  シューズグリップ人工芝  １５  カバージャバラ  １６  チャージ用ゴルフボールバケット  １７  ゴルフボール供給用パイプスタンド  １８  チャージ用ゴルフボール誘導パイプ  １９  ゴルフボール供給要求スウィッチ  ２０  自由傾斜打席稼動用スウィッチ  ２１  プレーヤーから見て右側ダウン  ２２  プレーヤーから見て前方向ダウン  ２３  プレーヤーから見て後方向ダウン  ２４  プレーヤーから見て左方向ダウン  ２５  自由傾斜打席傾斜駆動用エアシリンダー  ２６  自由傾斜打席傾斜駆動用エアシリンダー  ２７  駆動シリンダー受台座  ２８  シリンダー駆動用エアチューブ  ２９  自由傾斜打席荷重受けロットエンド  ３０  メイン支柱用リング球形軸受  ３１  ダウンブロー打撃緩衝マット  ３２  昇降ティー支持用金具  ３３  ティー受アジャスター  ３４  傾斜打席バックアップ材  ３５  電動バイブレーション  ３６  送出し制御バー  ３７  ソレノイド出力ロット  ３８  球形軸受台座  ３９  自由傾斜打席ベース台座  ４０  グランド  ４１  省略線  ４２  板発条送出用動力  ４３  板発条送出用ロール  ４４  ティー３昇降用板発条  ４５  ティー支持アジャスター  ４６  板発条送出圧調整ロール  ４７  ４６ロール調整ダイヤル  ４８  ナイロンガイド  ４９  板発条用カバー
【図１】
2008149085.tif 000003
【図２】
2008149085.tif 000004
【図３】
2008149085.tif 000005
【図４】
2008149085.tif 000006
【図５】
2008149085.tif 000007